(57)【要約】      （修正有）【課題】新しいインターネットメディアを創出するためのデジタル媒体である、「デジタル新聞」を提供する。【解決手段】従来のインターネット事業では、単なる手段でしかなかった情報のあり方に質的転換をもたらすものとして、情報そのものの商品化を可能とする方法を、既存のＩＴ技術に依拠して考案したものである。【選択図】図１
2006293967.tif 000002
【特許請求の範囲】
【請求項１】
「デジタル新聞」の形能と機能
【請求項２】
「デジタル広告」の形態と機能
【請求項３】
「電子チラシ」の形態
【発明の詳細な説明】
【技術分野】
【０００１】  本発明は既存のＩＴ技術に依拠しつつも、新しいインターネットメディアを創出するためのデジタル媒体である、「デジタル新聞」の考案に関する。
［背景技術］【０００２】  既存のＩＴ技術。
［発明の開示］
［発明が解決しようとする課題］【０００３】  インターネット上の情報は無料での閲覧が当然のこととされ、インターネット事業の成否は、アクセス数の多寡ですべてが決まるという現実がある。しかし数だけを競うという現在の状況がつづく限り、紙を使った従来の新聞や雑誌のような多様なメディアは、インターネット上では成立しえない。又電波を使ったテレビやラジオのような安定的なメディアも、インターネット上では商業的に成立しえない。
［課題を解決するための手段］【０００４】  本発明にかかる「デジタル新聞」の形態と機能並びに「デジタル新聞」の形態から生まれた「デジタル広告」形態と機能により、新しいインターネットメディアの創出が可能となる。
［発明の効果］【０００５】  表・テーブルを使った枠どりにより、紙製新聞の形態を踏襲しつつも、デジタル画面特有の色彩の美しさを十分に活かしたデザイン性により、「デジタル新聞」としての形態的な独立性と、商品的価値を高める。【０００６】  「デジタル新聞」の本文画（紙）面の四囲を取り囲む幅のある枠が、「デジタル新聞」の完結した独立性を保証しているのであるが、この枠内に多数の広告を埋め込むことが出来る。又「デジタル新聞」本文画面内にも多数の広告を挿入することが出来、「デジタル新聞」一面（一頁）に掲載可能な広告の数は、従来のホームページとは比較にならないほど拡大する。
又、この掲載広告数の拡大は、紙製新聞には不可能なものであり、「デジタル新聞」の形態と機能によりはじめて可能となるものである。【０００７】  民法のテレビやラジオがいつでも無料で視聴出来るのは広告収入で支えられているからであるが、インターネット上においても安定した広告収入が得られるならば、事業としてのＷｅｂ上での新聞の発刊も可能となる。本発明にかかる「デジタル新聞」は、その形態と機能の特性により、Ｗｅｂ上での新聞発行の事業化を可能とするものである。【０００８】  「デジタル新聞」はＨＴＭＬソースのみを使って作成されているのでデータ容量が小さく、送受信双方のパソコへの負荷が少ない。又ＨＴＭＬソース以外の附属品は一切使っていないので、古い型のパソコンでも作成が可能であり、送信受信双方において端末器の機種やバージョンを問わないという汎用性に富んでいる。【０００９】  「電子チラシ」は［０００８］に揚げた「デジタル新聞」における「発明の効果」を補強するものとして［請求項３］に掲示したものである。
「デジタル新聞」を商業的に成立可能とする基盤は、一枚の新聞に多数の広告掲載を可能とする形態と機能にあるが、一枚の新聞に多数の広告を掲載する場合、リンク先の広告ファイルの容量が大きいと新聞本体の容量は小さくても、広告を含めた新聞全体の容量は膨大なものとなる。
又インターネットゆえに可能な膨大な情報の発信は、必ずしも雇客の心をつかむとはいえず、むしろ情報量を絞ることで、雇客へのアピール度を高める狙いがある。
以上のような効果を勘案し、データ容量削減を目的に考案した、「電子チラシ」を「デジタル新聞」に不可欠のものとして本発明の［請求項３］に掲示した。
［発明を実施するための最良の形態］【００１０】  ＨＴＭＬソースを使って作成する。「デジタル新聞」の最重要ポイントである枠どり（外枠）は、表・テーブルを使って作成する。この枠内や本文画面内に埋めこむ広告も表・テーブルを使って作成し、色の対比や色彩効果を考えながら新聞枠や広告枠内に着色を施す。【００１１】  広告枠内には宣伝する商品名や企業名を文字で入力するが、この文字にも着色し、背景色との色彩効果をアピールすると、広告への注目度を高めることができる。【００１２】  広告枠内の文字に宣伝する商品ファイル（「電子チラシ」）へのリンクを貼る。【００１３】  「電子チラシ」は情報量を絞って一見で分かるようなレイアウトを考え、雇客へのアピール度を高める工夫をして作成する。
［実施例］【００１４】  行数３列数３の表を作成すると９マスの表が出来る。この表のまん中を本文画面とし、残りのマス目は外枠として使用する。表の線は非表示とする。【００１５】  「デジタル新聞」の大きさは、本文画面内に入力する文字数やレイアウト等により違う。本文画面の四囲を囲む外枠に彩色を施すが、この外枠部の色は「デジタル新聞」の基本カラーとなる。【００１６】  新聞の外枠内に、線を非表示にした行数、列数ともに１の表を挿入する。以下、この表をコピーし、必要な広告の数だけ外枠内に貼り付けてゆく。本文画面内にも同様にコピーして広告枠を貼りつけてゆく。但し、本文画面内への貼り付けは、本文作成後にする。本文作成後でなければ、広告枠のレイアウト位置が確定できないからである。【００１７】  広告枠配置後に広告文字を入力し、枠の背景と文字に彩色を施す。これらの広告枠の大きは自在に変更できる。「デジタル新聞」本体も同様に大きさは自在に変更可能である。ＨＴＭＬソースの利点である。
広告枠が完成すると、枠内に入力した広告文字に、当該広告ファイル（「電子チラシ」）へのリンクを貼る。【００１８】  「電子チラシ」は行数、列数ともに１の表（線は表示、非表示どちらでも可）を作り、その枠内に商品情報を配置する。この「電子チラシ」と「デジタル新聞」本体に配置した広告枠とをリンクで結ぶ。
【図面の簡単な説明】
【００１９】  「デジタル新聞」と「デジタル広告」の形態並びに「電子チラシ」を図示する。
［図１］  「デジタル新聞」と「デジタル広告」の形態と機能を示した図である。
［図２］  「電子チラシ」の形態と特性を示した図である。
【符号の説明】
【００２０】符号１及至１０について以下のとおり説明する。
１  表・テーブルを使って作成した「デジタル新聞」の外枠である。線は非表示にし、背景色を施す。
２  外枠内に埋めこまれた（貼りつけられた）広告枠である。線を非表示にした表を使って「広告１」の枠を作る。「広告２」から「広告１４」までは「広告１」の枠をコピーしてそれぞれの位置に貼りつけてゆく。
３  広告枠に入力した広告文字である。この広告文字に当該広告ファイル（「電子チラシ」）へのリンクを貼る。
４  「デジタル新聞」本文画面（紙製新聞の紙面に相当）である。文字入力により本文を作成する。読みやすいように、一つの段落を余り長くせずに、適宜段落を切って文章を入力する。
５  「デジタル新聞」発行所の名称と住所。新聞単体ファイルとしても新聞発行所の名称と住所を明示する。
６  発行所のホームページへのリンクを貼る。
７  新聞本文画面内に貼りつけた広告枠
８  「電子チラシ」の外枠。
９  「電子チラシ」に入力する商品情報例。
１０  商品の写真（図像）。
１１  商品発売元へのリンク。
【図１】
2006293967.tif 000003
【図２】
2006293967.tif 000004